(57)【要約】【課題】多様な用途に使用可能な平均台を提供する。【解決手段】平均台１は、１つの梁部１０と、梁部１０を支持する２つの支脚部３０ａ，３０ｂとを備え、床面に支脚部３０を接地させて用いられる。梁部１０は、丸太１１に、ビー玉２１とおはじき２３とを組み付けて構成されている。丸太１１は、杉などの天然木である磨き丸太を用いて形成されている。梁部１０には、丸太１１の上部が梁部１０の長手方向に沿って略平らに切削されることで、平面部１５が設けられている。ユーザは、平面部１５だけでなく、丸太１１の外表面部分にも足裏を接触させることで、従来の角形の梁部を有する平均台とは異なる方法で平均台１を使用できる。平衡感覚をトレーニングする目的に加えて、足裏刺激効果を得る目的でも、平均台１を用いた平均台遊戯を行うことができる。【選択図】図１
0003163097.tif 000002
【実用新案登録請求の範囲】
【請求項１】
天然木の丸太を用いて形成された円柱形状の梁部と、
前記梁部を支持する支脚部とを備え、
前記梁部の上部であって前記梁部に乗ったユーザが接触しうる部位の表面のうち少なくとも一部は、前記丸太の外周面で構成されている、平均台。
【請求項２】
前記梁部の上部には、前記丸太の外周面の一部を切削して取り除くことで設けられた平面部が設けられている、請求項１に記載の平均台。
【請求項３】
前記平面部は、前記梁部の長手方向全域にわたって、前記梁部の上部に設けられている、請求項２に記載の平均台。
【請求項４】
前記梁部の上部には、突起部が設けられている、請求項１から３のいずれかに記載の平均台。
【請求項５】
前記突起部は、ビー玉及びおはじきの一方又は両方であって、前記丸太の上部に埋め込まれている、請求項４に記載の平均台。
【請求項６】
前記支脚部は、平均台が床面に接地された状態で、側面視で前記丸太の上端縁が前記床面と平行になるように、前記梁部を支持する、請求項１から５のいずれかに記載の平均台。
【請求項７】
前記丸太は、下方に向けて開く背割れを有する、請求項１から６のいずれかに記載の平均台。
【考案の詳細な説明】
【技術分野】
【０００１】
この考案は、平均台に関し、特に、木製の平均台に関する。
【背景技術】
【０００２】
従来、平均台としては、体操競技に用いられるようなものの他に、幼児の遊戯や運動などの平均台遊戯に用いられるような、小型であって高さが低いものがある。
【０００３】
図８は、従来の平均台の一例を示す斜視図である。
【０００４】
平均台８１は、角形に成形又は加工された梁部８１０と、その梁部８１０を支持する２つの支脚部８２０とを有している。梁部８１０は、その上面が略水平になるように支脚部８２０で支持されている。ユーザは、梁部８１０の上面に乗って平均台８１を使用できる。
【０００５】
下記特許文献１には、幼稚園や保育所などで遊戯として用いられる平均台が開示されている。この平均台は、支持脚と支持脚により支持される横木とを組み替えて横木の上面の高さを段階的に変更可能に構成されているものである。横木の形状は、略四角柱形状である。
【先行技術文献】
【特許文献】
【０００６】
【特許文献１】実登３１２４８４３号公報
【考案の概要】
【考案が解決しようとする課題】
【０００７】
ところで、上記のような梁部が四角柱形状である平均台は、その形状が単純なものであるため、バランスを保ちながら平均台を渡るという一般的な平均台遊戯の他には、主な用途がないという問題があった。
【０００８】
この考案はそのような問題点を解決するためになされたものであり、多様な用途に使用可能な平均台を提供することを目的としている。
【課題を解決するための手段】
【０００９】
上記目的を達成するためこの考案のある局面に従うと、平均台は、天然木の丸太を用いて形成された梁部と、梁部を支持する支脚部とを備え、梁部の上部であって梁部に乗ったユーザが接触しうる部位の表面のうち少なくとも一部は、丸太の外周面で構成されている。
【００１０】
好ましくは梁部の上部には、丸太の外周面の一部を切削して取り除くことで設けられた平面部が設けられている。
【００１１】
好ましくは平面部は、梁部の長手方向全域にわたって、梁部の上部に設けられている。
【００１２】
好ましくは梁部の上部には、突起部が設けられている。
【００１３】
好ましくは突起部は、ビー玉及びおはじきの一方又は両方であって、丸太の上部に埋め込まれている。
【００１４】
好ましくは支脚部は、平均台が床面に接地された状態で、側面視で丸太の上端縁が床面と平行になるように梁部を支持する。
【００１５】
好ましくは丸太は、下方に向けて開く背割れを有する。
【考案の効果】
【００１６】
これらの考案に従うと、丸太の外周面が梁部の上部のうち梁部に乗ったユーザが接触しうる部位の表面を構成しているので、平均台を使用するユーザが丸太の外周面に触れる。したがって、多様な用途に使用可能な平均台を提供することができる。
【図面の簡単な説明】
【００１７】
【図１】本考案の第１の実施の形態における平均台を示す斜視図である。
【図２】底面側から見た平均台を示す斜視図である。
【図３】平均台の分解斜視図である。
【図４】床面に接地した状態の平均台を示す側面図である。
【図５】平均台を丸太の端部側から見た側面図である。
【図６】第２の実施の形態における平均台を示す斜視図である。
【図７】第２の実施の形態の一変型例に係る平均台を示す斜視図である。
【図８】従来の平均台の一例を示す斜視図である。
【考案を実施するための形態】
【００１８】
以下、本考案の実施の形態における平均台について説明する。
【００１９】
平均台は、その梁部に丸太を用いたものである。梁部は、その上面や支脚部が取り付けられるほか、丸太の形状をほとんどそのまま生かすように形成されている。すなわち、梁部の長手方向に垂直な断面は、略円形である。平均台は、高さがさほど高くない支脚部により梁部を支持して構成されている。
【００２０】
平均台は、例えば、体操の平均台競技のようにバランスをとる遊戯・競技（以下、平均台遊戯と呼ぶことがある）に用いられるものである。また、この平均台は、平衡感覚のトレーニング効果を得られる長椅子用途や、いわゆる青竹踏みと同様のマッサージ効果が得られる健康法の実施用途など、多目的に用いることができるものである。
【００２１】
［第１の実施の形態］
【００２２】
図１は、本考案の第１の実施の形態における平均台を示す斜視図である。
【００２３】
図を参照して平均台１は、１つの梁部１０と、２つの支脚部３０ａ，３０ｂ（これらを区別せず支脚部３０と呼ぶことがある。）とを備える。平均台１は、例えば、床面に支脚部３０を接地させて用いられる。
【００２４】
梁部１０は、丸太１１に、ビー玉（突起部の一例）２１とおはじき（突起部の一例）２３とを組み付けて構成されている。丸太１１は、杉などの天然木（自然木）を用いて形成されている。梁部１０は、円柱形状を有している。ここで、円柱形状とは、断面が円形であるものに加え、梁部１０のような断面が円形に近い略円形であるものを含む。丸太１１としては、例えば、いわゆる磨き丸太や絞り丸太が用いられている。丸太１１の外周面のうち、以下のように加工されている部位を除く部位は、ほとんど未加工のままとされており、天然木の風合いが維持されている。なお、図１及び以下の図において、丸太１１が自然木を用いていることにより現れる模様や表面の凹凸などの図示は省略している。
【００２５】
図２は、底面側から見た平均台を示す斜視図である。
【００２６】
図を参照して、丸太１１には、いわゆる背割れ１３が設けられている。背割れ１３は、平均台１の下方に向けて開いている。背割れ１３は、丸太１１の長手方向の両端部１１ａ，１１ｂに開放するように、すなわち丸太１１の全長にわたって形成されている。背割れ１３が設けられていることにより、丸太１１の割れが防止される。
【００２７】
図１を参照して、丸太１１の上部は、梁部１０の長手方向に沿って略平らに切削されている。これにより、梁部１０の上部には、切削面である平面部１５が設けられている。平面部１５は、丸太１１の外周面の一部を切削して取り除くことで梁部１０の上部に設けられている。平面部１５は、梁部１０の長手方向全域にわたって、梁部１０の上部に設けられている。平面部１５は、平均台１が床面に接地されているときにその床面と略平行になるように形成されている。ユーザは、平面部１５を含む梁部１０の上部に乗って、平均台１を用いた平均台遊戯を行うことができる。
【００２８】
本実施の形態において、ビー玉２１とおはじき２３とは、それぞれ３個ずつ設けられている。各ビー玉２１各とおはじき２３とは、後述のようにして丸太１１の平面部１５に埋め込まれている。ビー玉２１は、その半球部分が平面部１５から突出するようにして配置されている。おはじき２３は、その片面が平面部１５から突出するようにして配置されている。ビー玉２１やおはじき２３としては、例えば様々な色彩を有する、ガラス製のものが用いられている。ビー玉２１やおはじき２３で光が反射するので、平均台１は、特徴ある外観を有する。
【００２９】
平面部１５には、ビー玉２１とおはじき２３とが一列に並んでいる。ビー玉２１及びおはじき２３のそれぞれは、丸太１１の一方の端部（元側（根側）の端部）１１ａ側から他方の端部（末側の端部）１１ｂに向けて、ビー玉２１、おはじき２３、ビー玉２１、おはじき２３、ビー玉２１、おはじき２３という順番で、ビー玉２１とおはじき２３とが略等間隔で交互に並ぶように配置されている。
【００３０】
図に示すように、支脚部３０は、梁部１０のうち丸太１１の両端部１１ａ，１１ｂに近い部位に配置されている。すなわち、丸太１１の元側の端部１１ａの近くには、支脚部３０ａが設けられており、末側の端部１１ｂの近くには、支脚部３０ｂが設けられている。支脚部３０は、天然木の無垢材を用いて形成されている。
【００３１】
平均台１を丸太１１の端部１１ａ，１１ｂ側から見て、支脚部３０は、梁部１０の両側方に張り出し、梁部１０をしっかりと支持できるように構成されている。各支脚部３０の上面のうち、梁部１０から離れている辺の角は面取りされており、平均台１を使用するユーザに比較的鋭い角が接触しないように配慮されている。
【００３２】
図２を参照して、各支脚部３０の底面には、２つの滑り止め板３１が貼り付けられている。滑り止め材３１は、例えば厚みが２ミリ程度のゴム板である。平均台１は、滑り止め板３１を介して、床面に接地する。滑り止め板３１が貼り付けられていることにより、平均台１を床面に接地させた状態で、平均台１を床面に対して横にずらすような力が加わっても、平均台１が変位しにくくなっている。これにより、平均台１の位置ずれに注意することなく平均台１を使用することができる。また、滑り止め板３１が貼り付けられていることにより、平均台１に衝撃が加わったとき、その衝撃は、床面に直接に伝達されず、滑り止め板３１で緩衝されたうえで床面に伝達される。したがって、平均台１を使用するときの騒音や振動を低減することができる。
【００３３】
なお、滑り止め板３１としては、ゴム板に限らず、例えばスポンジ状の樹脂で形成されたシートなどを用いてもよい。また、滑り止め板３１に代えて、いわゆるゴム足を支脚部３０の底面に取り付けてもよい。
【００３４】
各支脚部３０は、その底面から上面に貫通するように形成された２つの貫通孔３５を有している。各支脚部３０は、貫通孔３５を貫通するように支脚部３０の底面側から上方にボルト（図示せず）が差し込まれ、そのボルトが丸太１１に締め付けられることにより、丸太１１に組み付けられている。ボルトは、丸太１１のうち、丸太１１を底面側から見て背割れ１３の両側の部位のそれぞれに締め付けられており、支脚部３０は背割れ１３を跨ぐようにして丸太１１に固定されている。なお、１つの支脚部３０についてそれと丸太１１とを結合するボルトは１本でも３本以上でもよい。また、支脚部３０は、それを丸太１１に結合するすべてのボルトが、丸太１１のうち、丸太１１を底面から見て背割れ１３を境界とする片側の部位に締め付けられ、それにより背割れ１３が設けられていることによる効果がより確実に発揮されるようにしてもよい。
【００３５】
図３は、平均台１の分解斜視図である。
【００３６】
図を参照して、ビー玉２１とおはじき２３とは、それぞれ、平面部１５に形成された孔部１７に配置されて、丸太１１に埋め込まれている。ビー玉２１とおはじき２３とのそれぞれは、例えば接着などにより、丸太１１に固着されている。
【００３７】
なお、平均台１の各部の角部には、丸面取りが施されている。これにより、ユーザが接触したときに良好な感触が得られる。
【００３８】
図４は、床面に接地した状態の平均台１を示す側面図である。
【００３９】
図を参照して、丸太１１は天然木であるため、その両端部１１ａ，１１ｂの寸法が互いに異なる。本実施の形態においては、一方の端部１１ａが樹木の根に近い元（もと）側であり、反対側の端部１１ｂが樹木の先に近い末（すえ）側となる。
【００４０】
ここで、梁部１０は、平均台１が床面に接地された状態で、側面視で丸太１１の上端縁（図に二点鎖線で示す）が床面と平行になるように、支脚部３０により支持されている。ここで、床面と平行であるとは、略平行である場合も含む。また、丸太１１の上端縁とは、丸太１１の上部が切削されておらず、平面部１５が設けられていないと仮定した場合の上端縁をいう。
【００４１】
例えば、丸太１１の端部１１ａの直径がｄ１であり、端部１１ｂの直径がｄ２であるとする。端部１１ｂは末側であるので、一般に、寸法ｄ１よりも寸法ｄ２が小さい。すなわち、端部１１ｂが端部１１ａよりも細い。そこで、支脚部３０ａ，３０ｂ及び丸太１１の寸法は、支脚部３０ａが端部１１ａの近傍を支持する高さよりも、支脚部３０ｂが端部１１ｂの近傍を支持する高さのほうが、およそｄ１とｄ２の差の分だけ高くなるように、設定されている。このように支脚部３０の支持高さが設定されていることにより、丸太１１の上部に平面部１５が設けられていない状態であっても丸太１１の上部が床面と略平行になる。
【００４２】
なお、本実施の形態では、丸太１１の上部が丸太１１の長手方向にわたって略均等幅に切削されて丸太１１の外周面が取り除かれていることにより、丸太１１の上部に平面部１５が設けられている。この状態で、平面部１５の床面からの高さはＨ１となり、丸太１１の長手方向にわたって略等しくなる。上述のように丸太１１の両端部１１ａ，１１ｂの寸法に合わせて丸太１１の姿勢が調整されていることにより、平面部１５が床面と略平行になるように形成された状態で、平面部１５の幅寸法は丸太１１の長手方向にわたって略等しくなる。したがって、平均台１の外観が良くなり、また、平均台１を平均台として使用しやすくなる。
【００４３】
図５は、平均台１を丸太１１の端部１１ｂ側から見た側面図である。
【００４４】
図を参照して、平面部１５の幅寸法Ｗは、例えば、３０ミリメートルから４０ミリメートル程度であり、ユーザの一般的な足裏幅よりも相当小さく形成されている。そのため、一般的なユーザにとって、平面部１５にだけ足を載せて平均台１上でバランスをとることは難しい。ユーザは、裸足などで平均台１を使用する場合、平面部１５だけでなく、丸太１１の未加工の外表面部分にも足裏を接触させることで、従来の角形の梁部を有する平均台とは異なる方法で平均台１を使用できる。また、このとき、ユーザの足に丸太１１の外周面が掛かるので、ユーザの足に足裏刺激効果がもたらされる。すなわち、平衡感覚をトレーニングする目的に加えて、足裏刺激効果を得る目的でも、平均台１を用いた平均台遊戯を行うことができる。また、平均台１を用いた平均台遊戯では、丸太１１の未加工の外表面部分に足裏を接触させ、足底の筋力を使うことが必要となる。すなわち、ユーザは、丸太１１の表面に乗り、拇指、子指、踵部の三点で丸太１１をホールドし、バランスを保持して落下しないように足底に力を加える。したがって、平均台１を用いた平均台遊戯を行う場合、足底の筋力の向上及びそれによる足底の内側縦アーチ（土踏まず）の形成が期待でき、ユーザが扁平（へんぺい）足になることを防止する効果が期待できる。
【００４５】
なお、平面部１５の幅寸法Ｗなどは、平均台１の使用対象のユーザの属性などに応じて、すなわち例えば幼児が使用するものであるか学齢児童が使用するものであるか、あるいは専ら成人が使用するものであるかに応じて、適宜変更すればよい。
【００４６】
また、平均台１の各部の寸法の一例は、以下のとおりである。例えば、床面からの平面部１５の高さ（図４の寸法Ｈ１）は、１５０ミリメートル程度である。丸太１１の直径は、１２０ミリメートル程度である。梁部１０（丸太１１）の長手方向の長さは、１４００ミリメートル程度である。なお、平均台１の寸法はこれに限られるものではなく、例えばより太い丸太を用いたり、梁部１０の長さを長くしたり短くしたりしてもよい。
【００４７】
平均台１は、体操競技や体操遊戯などの平均台遊戯を行うために使用できる他に、種々の用途に使用できる。例えば、１つの用途として、ユーザが梁部１０に腰を掛けて長いすとして使用できる。梁部１０は比較的長いので、複数のユーザが同時に使用可能である。このとき、上述のように平面部１５の幅寸法が比較的狭いので、ユーザは、自身でバランスをとりながら、腰を掛けた状態で維持する必要がある。したがって、平衡感覚のトレーニング効果を得られる。
【００４８】
また、平均台１は、いわゆる青竹踏みと同様のマッサージ効果が得られる健康法の実施用途に使用できる。すなわち、平均台１の梁部１０は丸太１１を用いたものであるので、梁部１０の外周面は大まかに円筒状である。したがって、ユーザは、梁部１０の上部に足を乗せることにより、いわゆる青竹踏みと同様に、足を刺激できる。
【００４９】
以上説明したように、本実施の形態では、天然木の丸太１１を用いて平均台１が構成されているので、体操競技や体操遊戯などに平均台として用いるとき、従来の角形の平均台とは若干異なる方法で、平均台１を使用することができる。また、平均台１は、上述のように長いすとして使用したり、いわゆる青竹踏み用の用具として使用でき、多目的に、多様な方法で使用できる。
【００５０】
平面部１５には、ビー玉２１とおはじき２３とが配置されているので、ユーザは、平均台として平均台１を用いるとき、このビー玉２１やおはじき２３などにより足裏が刺激されるように平均台１に載ることにより、足裏刺激効果を得られる。また、いわゆる青竹踏みの用具として平均台１が使用される際にも、ユーザは、同様に、単に青竹踏みを行う場合と比較して、より局所的な強い足裏刺激効果を得られる。
【００５１】
上述したとおり、平均台１の各部は天然木の無垢材であり、平均台１の表面には、ニスやラッカーなどは塗布されていない。したがって、ユーザが裸足で平均台１に乗ったときに柔らかく心地よい木の感触を得ることができる。また、平均台１が適度に吸湿性を発揮するので、ユーザの足裏が湿っていたり、又は水滴が平均台１に付着しても、ユーザが滑りにくく、快適に平均台１を使用することができる。
【００５２】
［第２の実施の形態］
【００５３】
第２の実施の形態においては、梁部における平面部の形状や、ビー玉又はおはじきなどの有無が第１の実施の形態と異なる。第２の実施の形態における平均台のその他の部位の構成は、第１の実施の形態におけるそれと同じであるため、ここでの説明を繰り返さない。以下、第１の実施の形態において説明した構成要素と同様の構成要素については、それと同一の符号を付し、その詳細な説明を省略する。
【００５４】
図６は、第２の実施の形態における平均台を示す斜視図である。
【００５５】
図を参照して、平均台１０１は、丸太１１を用いて構成された梁部１１０とそれを支持する２つの支脚部３０ａ，３０ｂを有している。
【００５６】
梁部１１０は、上述の第１の実施の形態における平均台１の梁部１０と比較して、ビー玉２１とおはじき２３とを有していない。また、梁部１１０は、その長手方向の全域に形成された平面部１５に代えて、丸太１１の上部に部分的に形成された平面部１１５ａ，１１５ｂを有している。
【００５７】
平面部１１５ａは、丸太１１の元側の端部１１ａ付近の上部に、平面部１５と同様に、丸太１１の上部を切削して丸太１１の外周面の一部を取り除くことで形成されている。平面部１１５ｂは、丸太１１の末側の端部１１ｂ付近の上部に、平面部１１５ａと同様に形成されている。平面部１１５ａ，１１５ｂの梁部１１０の長手方向の長さは、例えば、ユーザの足長と同程度（１５０〜３００ミリメートル程度）にしたり、ユーザの足幅と同程度（１００ミリメートル程度）にすることができる。
【００５８】
このように、第２の実施の形態においては、梁部１１０の上部のうち、端部近傍部位にのみ平面部１１５ａ，１１５ｂが設けられており、他の部位には丸太１１の外周面がそのまま残されている。そのため、ユーザは、梁部１１０に乗る部位によって、異なる方法で平均台１０１を用いることができる。すなわち、ユーザは、平面部１１５ａ，１１５ｂに立ったり座ったりして乗っているときには、比較的容易にバランスを保つことができる。他方、丸太１１の外周面がそのまま残っている部位に乗っているときには、バランスを保ちにくく、バランスを保つためにより高度な技術を要求される。したがって、ユーザは、乗る部位により、程度が異なる平衡感覚のトレーニング効果を得ることができる。また、ユーザが丸太１１の外周面がそのまま残っている部位に乗っているときには、足裏に接触する全面が曲面になるため、ユーザは、いわゆる青竹踏みと同様の効果をより強く得られる。
【００５９】
平面部１１５ａ，１１５ｂは、丸太１１の端部１１ａ，１１ｂ近傍部位に形成されているので、ユーザは、平均台１０１の端から梁部１１０に比較的に容易に乗ることができる。ユーザは、先ず梁部１１０に乗り、体勢を整えた状態で、よりバランスを保ちにくい丸太１１の外周面がそのまま残されている部位へと移動することができる。
【００６０】
なお、第２の実施の形態において、上述とは異なる部位に平面部を形成してもよく、平面部の寸法も適宜変更してもよい。また、部分的に設けられる平面部の数を、１つにしてもよいし、３つ以上にしてもよい。
【００６１】
図７は、第２の実施の形態の一変型例に係る平均台２０１を示す斜視図である。
【００６２】
図を参照して、平均台２０１は、平均台１０１とは平面部の数が異なる梁部２１０を有している。梁部２１０の上面には、部分的に、平面部２１５が形成されている。平面部２１５は、上述の第１の実施の形態における平面部１５と同様に、丸太１１の上部を切削して丸太１１の外周面の一部を取り除くことで形成されている。平面部２１５は、丸太１１の上部のうち７箇所に形成されている。平面部２１５の梁部２１０の長手方向の長さは、例えば、２００ミリメートル程度である。すなわち、梁部２１０の上部には、丸太１１が切削された平面部２１５と、丸太１１の外周面がそのまま残されている部位とが、梁部２１０の長手方向に沿って交互に形成されている。換言すると、梁部２１０は、梁部２１０の上部に、部分的に丸太１１の外周面がそのまま残されているものである。梁部２１０には、ビー玉やおはじきなどは設けられていない。
【００６３】
このように、梁部２１０に部分的に平面部２１５が設けられていることで、ユーザは、上述の第１の実施の形態と略同様の効果を得られるほか、平均台２０１を多様な方法で用いることができる。例えば、ユーザは、平均台１０１を渡る際、乗る部位として平面部２１５とそれ以外の部位とのいずれかを選択することにより、バランスを保つ難易度を選択し、異なるトレーニング効果を得られる。また、ユーザは、平面部２１５とそれ以外の部位との段差部分に乗ることにより、より強い足裏刺激効果を得られる。
【００６４】
なお、平均台２０１において、各平面部２１５の丸太１１の長手方向の寸法を大きくし、平面部２１５から上方に、丸太１１の外周面がそのまま残されている部位が部分的に突出するようにしてもよい。これにより、ビー玉やおはじきを設けなくても、それらを設けた場合と同様に、ユーザは、ピンポイントでの比較的強い足裏刺激効果を得られる。また、平面部２１５とそれが形成されていない部位との丸太１１の長手方向の寸法を小さくして、梁部２１０の上部のユーザが乗る部位に、丸太１１の長手方向に沿って鋸歯状であるぎざぎざな面を形成してもよい。
【００６５】
［その他］
【００６６】
上述の実施の形態の各特徴部分を組み合わせて平均台を構成してもよい。例えば、第１の実施の形態において、ビー玉及びおはじきは設けられていなくてもよい。
【００６７】
第２の実施の形態において、ビー玉又はおはじきを丸太に埋め込んでもよい。これにより、より高い足裏刺激効果を得ることができる。ビー玉やおはじきなどは、平面部に限られず、丸太の外周面がそのまま残されている部位に埋め込まれていてもよい。
【００６８】
また、丸太に設けられる突起部は、ビー玉やおはじきに限られない。例えば、石であったり、樹脂製のものであってもよい。また、例えば葉型のガラスビーズや、花形のガラスビーズ、又はその他のガラス玉などを突起部として丸太に取り付けてもよい。突起部は、丸太の表面から突出するように設けられていればよい。
【００６９】
丸太の寸法、支脚部の数及び寸法、又はビー玉やおはじきの数及び並び方などは、上述に限られない。例えば、丸太の太さを変更したり、支脚部の高さを変更したりし、床面から梁部の上部までの高さを変更してもよい。梁部のうちビー玉が配置される部位とおはじきが配置される部位とを区分けしてもよい。例えば、梁部の端部寄りの部位にビー玉を配置し、中央部におはじきを配置して、変化のある平均台遊戯を行えるようにしてもよい。
【００７０】
梁部には平面部が全く生成されていなくてもよい。また、梁部は、梁部の上部であって梁部に乗ったユーザが接触しうる部位の表面のうち少なくとも一部が丸太の外周面で構成されていればよく、他の部位は丸太の外周面を有していなくてもよい。ユーザが丸太の外周面部分に触れるので、平均台遊戯の他、いわゆる青竹踏みなど、多様な用途に平均台を利用可能である。また、平均台遊戯においては、足底の筋力の向上及びそれによる足底の内側縦アーチ（土踏まず）の形成が期待できる。
【００７１】
上記実施の形態は、すべての点で例示であって制限的なものではないと考えられるべきである。本考案の範囲は上記した説明ではなくて実用新案登録請求の範囲によって示され、実用新案登録請求の範囲と均等の意味及び範囲内でのすべての変更が含まれることが意図される。
【符号の説明】
【００７２】
１，１０１，２０１  平均台
１０，１１０，２１０  梁部
１１  丸太
１１ａ  元側の端部
１１ｂ  末側の端部
１３  背割れ
１５，１１５ａ，１１５ｂ，２１５  平面部
２１  ビー玉
２３  おはじき
３０，３０ａ，３０ｂ  支脚部
【図１】
0003163097.tif 000003
【図２】
0003163097.tif 000004
【図３】
0003163097.tif 000005
【図４】
0003163097.tif 000006
【図５】
0003163097.tif 000007
【図６】
0003163097.tif 000008
【図７】
0003163097.tif 000009
【図８】
0003163097.tif 000010